(57)【特許請求の範囲】
【請求項１】
熱交換器（110）及び送風装置（120）が配置されるファン室（FR）と、圧縮機（130）が配置される機械室（MR）とを内包するケーシング（200）を備え、前記ケーシング（200）は、前記ファン室（FR）及び前記機械室（MR）の上面を覆う天面板（211）と、前記ファン室（FR）及び前記機械室（MR）の下面を覆う底面板（221）と、前記ファン室（FR）の前面を覆う第１前面板（231）と、前記ファン室（FR）の側面を覆う第１側面板（232）と、前記機械室（MR）の前面を覆う第２前面板（251）と、前記機械室（MR）の側面を覆う第２側面板（240）と、前記機械室（MR）の後面を覆う後面板（261）とを有し、更に、前記ケーシング（200）は、前記第１前面板（231）と前記第２前面板（251）とが互いに係合する係合部（258）を有し、前記機械室（MR）の前記第２前面板（251）と前記第２側面板（240）とにより構成される角部のうち下側角部には、前記機械室（MR）内の配管と室内機からの配管とを接続するための開口部（253）が設けられている室外機（100）について、この室外機（100）を梱包する空気調和機用の梱包部材であって、
少なくとも前記室外機（100）の上部を保護する上部梱包部材（10）を備え、
前記上部梱包部材（10）は、前記ケーシング（200）の前記天面板（211）のうちで、前記第２前面板（251）の上方に位置する天面機械室寄部（NI）に接触しない構造を有し、かつ前記ケーシング（200）の前記天面板（211）のうちで、前記係合部（258）の上方に位置する天面前部（NG）に接触する前方接触部（28）を有する
ことを特徴とする空気調和機用の梱包部材。
【請求項２】
請求項１に記載の空気調和機用の梱包部材において、
前記室外機（100）は、前記ファン室（FR）と前記機械室（MR）との間を仕切る仕切板（201）を更に備え、前記仕切板（201）の端部は前記係合部（258）に係合する
ことを特徴とする空気調和機用の梱包部材。
【請求項３】
請求項１または２に記載の空気調和機用の梱包部材において、
前記室外機（100）の前記ケーシング（200）は、前記第１側面板（232）の後部に前記ファン室（FR）の後方角部を覆う後角部（233）が形成されたものであって、
前記上部梱包部材（10）は、前記ケーシング（200）の前記天面板（211）のうちで、
前記第１前面板（231）と前記第１側面板（232）により構成される角部の上方に位置する天面板（211）の角部に接触する第１接触部（25）と、
前記第１側面板（232）の後部の前記後角部（233）の上方に位置する天面板（211）の角部に接触する第２接触部（26）と、
前記第２側面板（240）と前記後面板（261）により構成される角部の上方に位置する天面板（211）の角部に接触する第３接触部（27）とを有する
ことを特徴とする空気調和機用の梱包部材。
【請求項４】
請求項３に記載の空気調和機用の梱包部材において、
前記上部梱包部材は、
前記第１接触部（25）と前記第２接触部（26）とを有する第１緩衝材（21）と、
前記第３接触部（27）を有する第２緩衝材（22）と、
前記第１緩衝材（21）と前記第２緩衝材（22）とを連結する第３緩衝材（23）と、
前記前方接触部（28）を有しかつ前記第１緩衝材（21）と前記第２緩衝材（22）とを連結する第４緩衝材（24）とを備え、
前記第３緩衝材（23）と前記第４緩衝材（24）が間隔をあけて配置されている
ことを特徴とする空気調和機用の梱包部材。
【請求項５】
請求項４に記載の空気調和機用の梱包部材において、
前記上部梱包部材（10）は、更に、前記第１緩衝材（21）と前記第２緩衝材（22）と前記第３緩衝材（23）と前記第４緩衝材（24）とを収納する上トレー部材（11）を備えている
ことを特徴とする空気調和機用の梱包部材。
【発明の詳細な説明】
【技術分野】
【０００１】
本発明は、室外機を梱包する空気調和機用の梱包部材に関する。
【背景技術】
【０００２】
空気調和機の室外機は、熱交換器と、送風装置と、圧縮機と、これらを収容するケーシングとを備えている。
ケーシングは、熱交換器及び送風装置が配置されるファン室と、圧縮機が配置される機械室とを内包する。ケーシングは、天面板と、底面板と、ファン室の前面を覆う第１前面板と、ファン室の側面を覆う第１側面板と、機械室の前面を覆う第２前面板と、機械室の側面を覆う第２側面板と、機械室の後面を覆う後面板とを有する。また、ケーシングには、機械室側の第２前面板と第２側面板とにより構成される角部の下側に、機械室内の配管と室内機からの配管との接続を可能とするための開口部が設けられている。この開口部には蓋が取り付けられている（特許文献１参照）。
【０００３】
室外機は梱包材で梱包されて保管される。
この梱包部材は、室外機の上部両側を保護する上部梱包部材と、室外機の下部の下部両側を保護する下部梱包部材とにより構成されている（特許文献２参照）。
【０００４】
室外機は段積みされることがある。例えば、空気調和機の製造工場において完成した室外機は、梱包部材により梱包された状態で段積みされる。また、出荷された室外機は倉庫において段積みして保管される。海外に搬送されるときは、梱包部材で梱包された状態で段積みされ、搬送される。このように、空気調和機の室外機は、種々の場面で段積みされる。
【先行技術文献】
【特許文献】
【０００５】
【特許文献１】特開２００９−１３８９５１号公報
【特許文献２】特開２００３−９５３６９号公報
【発明の概要】
【発明が解決しようとする課題】
【０００６】
ところで、室外機を段積みする場合、室外機に設定以上の荷重が加わることがある。このようなとき、ケーシングのうちで構造的に荷重が集中しやすい部分が変形する。
具体的には、機械室側の第２前面板のうちで開口部に隣接する部分に荷重が集中する。すなわち、開口部は底面板に締結されていないため、開口部の上方から加えられた力は開口部の周辺部に分散する。この結果、機械室側の第２前面板のうちで開口部に隣接する部分に荷重が集中することになる。このような事情から、室外機の機械室側に過大な荷重が加えられるとき、機械室の第２前面板のうちで開口部に隣接する部分が変形するおそれがある。
【０００７】
本発明はこのような実情に鑑みてなされたものであり、その目的は、室内機からの配管を接続するための開口部が設けられているケーシングを備えている空気調和機用の梱包部材であって、当該ケーシングの変形を抑制することのできる空気調和機用の梱包部材を提供することにある。
【課題を解決するための手段】
【０００８】
請求項１に記載の発明は、熱交換器及び送風装置が配置されるファン室と、圧縮機が配置される機械室とを内包するケーシングを備え、前記ケーシングは、前記ファン室及び前記機械室の上面を覆う天面板と、前記ファン室及び前記機械室の下面を覆う底面板と、前記ファン室の前面を覆う第１前面板と、前記ファン室の側面を覆う第１側面板と、前記機械室の前面を覆う第２前面板と、前記機械室の側面を覆う第２側面板と、前記機械室の後面を覆う後面板とを有し、更に、前記ケーシングは、前記第１前面板と前記第２前面板とが互いに係合する係合部を有し、前記機械室の前記第２前面板と前記第２側面板とにより構成される角部のうち下側角部には、前記機械室内の配管と室内機からの配管とを接続するための開口部が設けられている室外機について、この室外機を梱包する空気調和機用の梱包部材であって、少なくとも前記室外機の上部を保護する上部梱包部材を備え、前記上部梱包部材は、前記ケーシングの前記天面板のうちで、前記第２前面板の上方に位置する天面機械室寄部に接触しない構造を有し、かつ前記ケーシングの前記天面板のうちで、前記係合部の上方に位置する天面前部に接触する前方接触部を有することを要旨とする。
【０００９】
室外機のケーシングには、機械室を覆う第２前面板と第２側面板により構成される角部のうち底面板側の下側角部に、開口部が設けられている。このような構造の場合、室外機に過大な荷重が加えられたとき、機械室の第２前面板のうちで開口部に隣接する部分に荷重が集中することになり、この結果、当該部分が変形するおそれがある。
【００１０】
この点を鑑み、本発明に係る上部梱包部材を次のような構成とした。
すなわち、本発明に係る上部梱包部材を、天面板のうちで、第２前面板の上方に位置する天面機械室寄部には接触させない構造とした。このため、室外機に荷重が加わると、天面機械室寄部以外の部分に荷重が加わり、少なくとも第２前面板に荷重が加わりにくくなる。この結果、第２前面板のうちで開口部に隣接する部分に荷重が集中することが抑制され、当該部分の変形が抑制される。
【００１２】
また、室外機に荷重が加わるとき、構造的に強度が大きい部分であるケーシングの係合部に荷重が加わるため、ケーシングの変形を抑制することができる。
請求項２に記載の発明は、請求項１に記載の空気調和機用の梱包部材において、前記室外機は、前記ファン室と前記機械室との間を仕切る仕切板を更に備え、前記仕切板の端部は前記係合部に係合することを要旨とする。
【００１３】
この種の室外機においても、上記と同様の効果を有する。
すなわち、室外機に荷重が加わるとき、構造的に強度が強い部分であるケーシングの係合部に力が加わるため、ケーシングの変形を抑制することができる。
【００１４】
請求項３に記載の発明は、請求項１または２に記載の空気調和機用の梱包部材において、前記室外機の前記ケーシングは、前記第１側面板の後部に前記ファン室の後方角部を覆う後角部が形成されたものであって、前記上部梱包部材は、前記ケーシングの前記天面板のうちで、前記第１前面板と前記第１側面板により構成される角部の上方に位置する天面板の角部に接触する第１接触部と、前記第１側面板の後部の前記後角部の上方に位置する天面板の角部に接触する第２接触部と、前記第２側面板と前記後面板により構成される角部の上方に位置する天面板の角部に接触する第３接触部とを有することを要旨とする。
【００１５】
この発明の上部梱包部材は、天面板のうちで、ケーシングの３つの角部のそれぞれに対応する部分で接触する。このため、室外機に荷重が加わるとき、構造的に強い部分であるケーシングの角部に力が加わるため、ケーシングの変形を抑制することができる。
【００１６】
請求項４に記載の発明は、請求項３に記載の空気調和機用の梱包部材において、前記上部梱包部材は、前記第１接触部と前記第２接触部とを有する第１緩衝材と、前記第３接触部を有する第２緩衝材と、前記第１緩衝材と前記第２緩衝材とを連結する第３緩衝材と、前記前方接触部を有しかつ前記第１緩衝材と前記第２緩衝材とを連結する第４緩衝材とを備え、前記第３緩衝材と前記第４緩衝材が間隔をあけて配置されていることを要旨とする。この発明によれば、上部梱包部材の中央部に空間が設けられる。このため、上部梱包部材の中央部に空間を設けていないものと比べて、上部梱包部材を形成するための原料を少なくすることができる。
【００１７】
請求項５に記載の発明は、請求項４に記載の空気調和機用の梱包部材において、前記上部梱包部材は、更に、前記第１緩衝材と前記第２緩衝材と前記第３緩衝材と前記第４緩衝材とを収納する上トレー部材を備えていることを要旨とする。
【００１８】
第１緩衝材、第２緩衝材、第３緩衝材及び第４緩衝材が互いに連結して構成される上部梱包部材の場合、各緩衝材同士の接続部分の緩みにより、緩衝材同士の配置が定まらないことがある。このため、上部梱包部材を室外機に嵌めにくいというデメリットが生じる。そこで、本発明では、上トレー部材内に第１〜第４緩衝材を収納し、これらの緩衝材を保持する。これにより、上部梱包部材を室外機に嵌め易くすることができる。
【発明の効果】
【００１９】
本発明によれば、室内機からの配管を接続するための開口部が設けられているケーシングを備えている空気調和機用の梱包部材であって、当該ケーシングの変形を抑制することのできる空気調和機用の梱包部材を提供することができる。
【図面の簡単な説明】
【００２０】
【図１】梱包状態の室外機の斜視図。
【図２】室外機と梱包部材を分離した状態を示す斜視図。
【図３】室外機の分解斜視図。
【図４】天板を外した状態の室外機の平面図。
【図５】室外機の係合部の斜視図。
【図６】室外機の係合部を分解した分解斜視図。
【図７】上部梱包部材の斜視図。
【図８】上部梱包部材の分解斜視図。
【図９】緩衝部材の斜視図。
【図１０】上部梱包部材の各接触部と室外機の各構成要素の配置関係を示す平面図。
【図１１】（ａ）〜（ｃ）は、荷重が加えられたときの室外機について、前方からみた室外機の斜視図。
【図１２】上部梱包部材の変形例について、（ａ）〜（ｃ）はそれぞれ、変形例の接触部の配置を示す模式図。
【発明を実施するための形態】
【００２１】
図１を参照して、室外機の梱包方法について説明する。
室外機１００は、梱包部材１と結束バンド２７０を用いて梱包される。
梱包部材１は、室外機１００の上部を保護する上部梱包部材１０と、室外機１００の下部を保護する下部梱包部材３０とを備えている。
【００２２】
なお、室外機１００の下部とは、鉛直方向において、室外機１００が設置されるときの地面側に配置される部分を示し、室外機１００の上部とは、鉛直方向において、下部の反対側の部分を示す。室外機１００において前後方向をいうときは、室外機１００の排気側を前部として定められる方向を前後方向とする。
【００２３】
室外機１００を梱包するときは、上部梱包部材１０を室外機１００の上部に嵌め、下部梱包部材３０を室外機１００の下部に嵌める。そして、４本の結束バンド２７０を、室外機１００、上部梱包部材１０及び下部梱包部材３０の周囲に回して締め付ける。
【００２４】
図２に、室外機１００の梱包を解いた状態を示す。
図２に示されるように、下部梱包部材３０は、紙製（例えばダンボール）の下トレー部材３１と、２本の支持板３２と、２個の樹脂製（例えば、発泡スチロール）の緩衝材３３と、２個の支持板３２を連結する連結部材３４とを備えている。
【００２５】
下トレー部材３１は、２本の支持板３２と、２個の緩衝材３３と、連結部材３４とを収容する。下トレー部材３１には、結束バンド２７０を位置決めするための凹部３５が８箇所設けられている。緩衝材３３のそれぞれには、室外機１００の脚台１０１を載置する載置部３３ａが設けられている。上部梱包部材１０については後述する。
【００２６】
図３を参照して、室外機１００の構成を説明する。
室外機１００は、熱交換器１１０と、モータ１２１及び回転翼１２２を有する送風装置１２０と、圧縮機１３０と、圧縮機１３０等を制御する制御装置１４０と、熱交換器１１０及び送風装置１２０を支持する支持台１５０と、これらの装置を収容するケーシング２００とを備えている。
【００２７】
室外機１００の内部空間は、仕切板２０１により、ファン室ＦＲと機械室ＭＲに区画されている。ファン室ＦＲには、熱交換器１１０と送風装置１２０が収容されている。機械室ＭＲには、圧縮機１３０と制御装置１４０が収容されている。
【００２８】
熱交換器１１０としては、所謂マイクロチャネル熱交換器が採用されている。具体的な構成は次のとおり。熱交換器１１０は、複数本の扁平管１１１と、複数の伝熱フィン１１２と、２本のヘッダ集合管１１３，１１４とを備えている。扁平管１１１と伝熱フィン１１２とヘッダ集合管１１３，１１４は、アルミニウムにより形成されている。
【００２９】
扁平管１１１は、冷媒流通方向に対して垂直の断面において上下方向に薄い扁平形状であり、この断面の左右方向に複数の冷媒通路を有する。これらの扁平管１１１は、側面が互いに対向するように上下方向に間隔をあけて配列されている。扁平管１１１の間には、複数枚の伝熱フィン１１２が互いに平行に配置されている。伝熱フィン１１２は、その主面が扁平管１１１の延長方向に対して垂直となるように、配置されている。ヘッダ集合管１１３，１１４は、それぞれ扁平管１１１の端部に、上下方向に延びるように取り付けられ、所定の扁平管１１１を他の所定の扁平管１１１に連結する。これにより、ヘッダ集合管１１３，１１４は扁平管１１１内の冷媒を合流し、または冷媒を分流する。なお、以降の説明では、２本のヘッダ集合管１１３，１１４を区別して説明するときは、機械室ＭＲ側に配置されているヘッダ集合管を第１ヘッダ集合管１１３と称し、ファン室ＦＲ側に配置されているヘッダ集合管を第２ヘッダ集合管１１４と称す。
【００３０】
図４に示すように、熱交換器１１０の両端部（すなわちヘッダ集合管１１３，１１４）は、取付部材１１５でケーシング２００に取り付けられている。
また、熱交換器１１０は、送風装置１２０のモータ１２１を支持する支持台１５０によって支持されている。
【００３１】
なお、取付部材１１５は、ヘッダ集合管１１３，１１４に固定されるヘッダ固定部材と、ケーシング２００に固定されるケース固定部材と、ヘッダ固定部材とケース固定部材との間を絶縁する絶縁部材により構成されている。これにより、金属イオンの移動経路を遮断し、ヘッダ集合管１１３，１１４とケーシング２００との間で生じる電食を抑制する。
【００３２】
支持台１５０は、ファン室ＦＲの後側の中央部かつ熱交換器１１０の前方に設けられている。支持台１５０は、２本の支柱１５１と、熱交換器１１０を固定するための取付板１５２とを備えている。取付板１５２は天面板２１１に当接する。支持台１５０の前部には、送風装置１２０のモータ１２１が取り付けられている。支持台１５０の後部には、熱交換器１１０が取り付けられている。
【００３３】
ケーシング２００は、天板２１０と、底板２２０と、第１外板２３０と、第２外板２５０と、第３外板２６０とを備えている。
ケーシング２００の各要素は、鋼板により形成されている。
【００３４】
天板２１０は、ファン室ＦＲと機械室ＭＲの上面を覆う天面板２１１と、天面板２１１の周縁に設けられた周側部２１２とを備えている。天面板２１１には、天板２１０の強度を高くするための段部２１３が形成されている。
【００３５】
底板２２０は、ファン室ＦＲと機械室ＭＲの下面を覆う底面板２２１と、底面板２２１の周縁に設けられた周側部２２２とを備えている。底面板２２１の内面には、支持台１５０が取付けられる支持台固定部２２３が形成されている。底面板２２１の外面（外部に面する面）には、２本の脚台１０１が取り付けられている。
【００３６】
第１外板２３０は、ファン室ＦＲの前面を覆う第１前面板２３１と、ファン室ＦＲの側面を覆う第１側面板２３２と、ファン室ＦＲの後方角部を覆う後角部２３３とを有する。
第１前面板２３１には排気口２３１ａが形成されている。排気口２３１ａには、排気グリル２３６が取り付けられている。第１前面板２３１の上部には、天面板２１１に当接する当接部２３５が形成されている。第１前面板２３１の側縁部（第２前面板２５１側の側縁部）には、第２前面板２５１と係合する第１係合部２３４が設けられている。
【００３７】
第１側面板２３２には、複数の吸気口２３２ａが形成されている。各吸気口２３２ａは、略矩形に形成されている。第１側面板２３２の上部には、天面板２１１に当接する当接部２３５が形成されている。
【００３８】
第２外板２５０は、機械室ＭＲの前面を覆う第２前面板２５１と、機械室ＭＲの側面の一部を覆う第２前側面板２５２とを有する。なお、第２前側面板２５２と後述の第２後側面板２６２とは機械室ＭＲの側面を覆う第２側面板２４０を構成する。第２前面板２５１のファン室ＦＲ側の側縁部には、第１前面板２３１の第１係合部２３４と係合する第２係合部２５７が形成されている。
【００３９】
第２外板２５０には、第２前面板２５１と第２前側面板２５２とにより構成される角部のうちの底板２２０側の下側角部において、機械室ＭＲ内の配管と室内機からの配管とを接続するための第１開口部２５３が設けられている。第１開口部２５３は第１蓋２５４で覆われている。第１蓋２５４は、締結部材（例えばボルト）で底板２２０に締結される。なお、第１蓋２５４は、第２前面板２５１に締結されている場合もある。第１蓋２５４には、貫通孔２５５が形成されている。第２前面板２５１の上部及び第２前側面板２５２の上部には、天面板２１１に当接する当接部２５６が形成されている。
【００４０】
第３外板２６０は、機械室ＭＲの後面を覆う後面板２６１と、機械室ＭＲの側面の後方部分を覆う第２後側面板２６２とを有する。第３外板２６０には、後面板２６１と第２後側面板２６２とにより構成される角部のうちの底板２２０側の下側角部に、機械室ＭＲ内の配管と室内機からの配管とを接続するための第２開口部２６３が設けられている。第２開口部２６３は第２蓋２６４で覆われている。第２蓋２６４は、締結部材により、第２後側面板２６２と底板２２０に締結されている。第２蓋２６４には、貫通孔２６５が形成されている。後面板２６１の上部及び第２後側面板２６２の上部には、天面板２１１に当接する当接部２６６が形成されている。
【００４１】
第３外板２６０に設けられている第２蓋２６４は、第２後側面板２６２と底板２２０との間に介在し、両者に締結されている。このため、第２蓋２６４は、補強部材としての機能を有する。すなわち、第３外板２６０に加えられる荷重は、第２蓋２６４を介して底板２２０に伝達される。これにより、第３外板２６０の変形を抑制する。一方、第２外板２５０に設けられている第１蓋２５４は、第２前側面板２５２及び底板２２０のうちの一方にだけ締結する。このため、第２外板２５０に加えられる荷重は、第１蓋２５４を介して底板２２０に伝達されない。
【００４２】
図４を参照して、室外機１００の各要素の配置関係を説明する。
室外機１００は、上方からみたとき、略矩形に形成されている。ファン室ＦＲと機械室ＭＲとは横並びに配置されている。室外機１００のファン室ＦＲの前面及び側面は第１外板２３０により覆われている。室外機１００の機械室ＭＲの前面、側面及び後面は第２外板２５０及び第３外板２６０により覆われている。すなわち、室外機１００のファン室ＦＲの後面は外板に覆われていない。
【００４３】
熱交換器１１０は、熱交換器１１０がファン室ＦＲの後面から側面に亘って配置されている。すなわち、熱交換器１１０の一方の端部（すなわち第１ヘッダ集合管１１３）は、後面板２６１の後縁部２６７の近傍に配置されている。熱交換器１１０の他方の端部（すなわち第２ヘッダ集合管１１４）は、第１側面板２３２の近傍に配置されている。
【００４４】
図５及び図６を参照して、第１前面板２３１と第２前面板２５１の係合部２５８について説明する。
図５に示すように、第１前面板２３１と第２前面板２５１の係合部２５８には仕切板２０１が係合する。仕切板２０１の仕切係合部２０２は、第１前面板２３１と第２前面板２５１とにより形成される面に対して平面視で交差するように、係合部２５８に取り付けられている。
【００４５】
図６に示すように、第１前面板２３１の第１係合部２３４には、貫通孔２３４ａが形成されている。第２前面板２５１の第２係合部２５７には、貫通孔２３４ａに嵌め込められる突起２５７ａが形成されている。仕切板２０１の仕切係合部２０２には、突起２５７ａに係合する凹部２０３が形成されている。これらを係合するときは、第１前面板２３１の第１係合部２３４の貫通孔２３４ａに、第２係合部２５７の突起２５７ａを嵌め込む。そして、仕切板２０１の仕切係合部２０２の凹部２０３を、第２係合部２５７の突起２５７ａに引っ掛ける。
【００４６】
図７〜図９を参照して、上部梱包部材１０について説明する。
図７及び図８に示すように、上部梱包部材１０は、紙製（例えばダンボール）の上トレー部材１１と、樹脂製（例えば発泡スチロール）の緩衝部材２０とを備えている。緩衝部材２０は４つの緩衝材（以下、それぞれ第１緩衝材２１〜第４緩衝材２４という。）を備えている。
【００４７】
上トレー部材１１は、第１緩衝材２１、第２緩衝材２２、第３緩衝材２３、及び第４緩衝材２４を収容する。上トレー部材１１には、結束バンド２７０を位置決めするための凹部１２が８箇所に設けられている。
【００４８】
第１緩衝材２１は、室外機１００の上部であってファン室ＦＲ側の側部を保護する。第２緩衝材２２は、室外機１００の上部であって機械室ＭＲ側の側部を保護する。第３緩衝材２３及び第４緩衝材２４は、第１緩衝材２１と第２緩衝材２２を互いに連結する。
【００４９】
第１緩衝材２１に対し第３緩衝材２３及び第４緩衝材２４は、それぞれ嵌込構造により連結されている。また、第２緩衝材２２に対し第３緩衝材２３及び第４緩衝材２４は、それぞれ嵌込構造により連結されている。ここで、嵌込構造とは、一方の部材に形成された凹部と、他方の部材に形成された凸部とが嵌合することにより、２つの部材が互いに結合される構造を示す。
【００５０】
図９に、緩衝部材２０の斜視図を示す。
第１緩衝材２１は、第１本体部２１ａと、天板２１０の周側部２１２に当接する第１当接部２１ｂとを備えている。第１本体部２１ａには、天板２１０の天面板２１１に接触する第１接触部２５と第２接触部２６が形成されている。
【００５１】
第２緩衝材２２は、第２本体部２２ａと、天板２１０の周側部２１２に当接する第２当接部２２ｂとを備えている。第２本体部２２ａには、天板２１０の天面板２１１に接触する第３接触部２７と補助接触部２７ａとが形成されている。また、第２本体部２２ａには、天板２１０の天面板２１１に接触しない非接触部２７ｂ及び非接触部２７ｃが設けられている。補助接触部２７ａは、非接触部２７ｂを間にして第３接触部２７の反対側に設けられている。
【００５２】
第３緩衝材２３は、棒状の第３本体部２３ａを備えている。第３本体部２３ａには、天板２１０の天面板２１１に接触する後方中寄接触部２９が形成されている。第３緩衝材２３の両端には、それぞれ嵌合構造としての凸部が形成されている。
【００５３】
第４緩衝材２４は、棒状の第４本体部２４ａを備えている。第４本体部２４ａには、天板２１０の天面板２１１に接触する前方接触部２８が形成されている。第３緩衝材２３の両端には、それぞれ嵌合構造としての凸部が形成されている。
【００５４】
図１０を参照して、各接触部２５〜２９，２７ａ及び非接触部２７ｂ，２７ｃと、室外機１００の各構成要素との配置関係について説明する。なお、図１０において、天板２１０の天面板２１１と各接触部２５〜２９，２７ａとが接触する部分をドットで示す。
【００５５】
第１接触部２５は、天面板２１１の角部（以下、第１天面角部ＮＡ）に接触する。ここで、第１天面角部ＮＡとは、天面板２１１において、第１前面板２３１と第１側面板２３２により構成される角部の上方に位置する部分を示す。
【００５６】
第２接触部２６は、天面板２１１の角部（以下、第２天面角部ＮＢ）に接触する。ここで、第２天面角部ＮＢとは、天板２１０において、第１側面板２３２の後部の後角部２３３の上方に位置する部分を示す。
【００５７】
第３接触部２７は、天面板２１１の角部（以下、第３天面角部ＮＣ）を含む部分に接触する。すなわち、第３接触部２７は、天面板２１１において第３天面角部ＮＣから機械室ＭＲの中央部に対応する部分までの範囲で、天面板２１１と接触する。ここで、第３天面角部ＮＣとは、天面板２１１において、後面板２６１と第２側面板２４０とにより構成される角部の上方に位置する部分を示す。
【００５８】
非接触部２７ｂは、天面板２１１の天面後中寄部ＮＥに対応して設けられている。
すなわち、室外機１００の上部に上部梱包部材１０を嵌めたときに、天面後中寄部ＮＥの上方に配置されるように、非接触部２７ｂが形成されている。ここで、天面後中寄部ＮＥとは、天面板２１１において、熱交換器１１０の第１ヘッダ集合管１１３の上方に位置する部分を示す。
【００５９】
非接触部２７ｃは、天面板２１１の天面機械室寄部ＮＩに対応して設けられている。
すなわち、室外機１００の上部に上部梱包部材１０を嵌めたときに、非接触部２７ｃが天面機械室寄部ＮＩの上方に配置されるように、その非接触部２７ｃが第２緩衝材２２に形成されている。ここで、天面機械室寄部ＮＩとは、天面板２１１において、第２前面板２５１の上方に位置する部分を示す。
【００６０】
補助接触部２７ａは、天面後中寄部ＮＥよりも中央寄りの部分ＮＦに対応して設けられている。すなわち、室外機１００の上部に上部梱包部材１０を嵌めたときに、補助接触部２７ａが部分ＮＦの上方に配置されるように、その補助接触部２７ａが第２緩衝材２２に形成されている。ここで、天面後中寄部ＮＥよりも中央寄りの部分ＮＦとは、天板２１０において、熱交換器１１０の第１ヘッダ集合管１１３が配置される部分よりも室外機１００の左右方向の中央寄りの部分を示す。すなわち、補助接触部２７ａは、非接触部２７ｂを間にして第３接触部２７の反対側の部分に設けられている。
【００６１】
前方接触部２８は、天面板２１１の天面前部ＮＧに接触する。ここで、天面前部ＮＧとは、天面板２１１において、第１前面板２３１の第１係合部２３４と第２前面板２５１の第２係合部２５７とが係合する係合部２５８を含む部分の上方に位置する部分を示す。
【００６２】
後方中寄接触部２９は、天面板２１１の中央支持部ＮＨに接触する。ここで、中央支持部ＮＨとは、天面板２１１において、支持台１５０の上部に取り付けられている取付板１５２のうちで２本の支柱１５１に直接的に支持されている支持部分を示す。
【００６３】
図１１を参照して、室外機１００に荷重が加わったときの上部梱包部材１０の作用について説明する。なお、図１１は、前方から、梱包状態の室外機１００の機械室ＭＲ側を見た図であり、図１のＡ−Ａ線に沿った部分断面図を示す。
【００６４】
図１１（ａ）は、従来構造の上部梱包部材５００で梱包された室外機１００において、天面板２１１の機械室ＭＲ側部分に過大な荷重が加わっている状態を示す。なお、梱包対象の室外機１００は、従来構造の室外機１００よりも、ケーシング２００の各外板２３０，２５０，２６０を薄くしたものとする。ケーシング２００の部材として薄板鋼板を採用する理由は、室外機１００の軽量化のためであるが、一方、室外機１００の段積みにおけるケーシング２００の変形が問題となる。
【００６５】
従来構造の上部梱包部材５００は、第２前面板２５１に対応する部分の全体に亘って天面板２１１と接触する。このため、上部梱包部材５００に荷重が加わったとき、第２緩衝材５１０が変形し、これにより、矢印Ｂのように天面板２１１が下方に撓む。この結果、第２前面板２５１に過大な荷重が加わるとともに、この荷重が第２前面板２５１のうちの第１開口部２５３の隣接部２５１ａに集中する。このため、第２前面板２５１の隣接部２５１ａはその荷重に耐えられず、変形するおそれがある。
【００６６】
そこで、図１１（ｂ）に示すように、第２前面板２５１に荷重が加わらないように、上部梱包部材１０に非接触部２７ｃを形成する。
このような構造の場合、天面板２１１の機械室ＭＲ側部分に過大な荷重が加わることによって第２緩衝材２２が変形したとしても、第２緩衝材２２が天面板２１１の天面機械室寄部ＮＩに殆ど接触しないため、天面機械室寄部ＮＩには荷重が加わらず、ひいては第２前面板２５１にも荷重が加わらない。これにより第２前面板２５１の変形が抑制される。
【００６７】
更に、図１１（ｃ）に示すように、上部梱包部材１０の前部に、前方接触部２８を設けることが好ましい。
このような構造の場合、天面板２１１の機械室ＭＲ側部分に過大な荷重が加わるとき、その一部の荷重が前方接触部２８を介して係合部２５８に加わる。このため、上部梱包部材１０の肉薄の部分の撓みが抑制される。この結果、第２緩衝材２２が天面機械室寄部ＮＩに接触する可能性が少なくなる。このため、第２前面板２５１の変形の発生は更に少なくなる。
【００６８】
なお、係合部２５８は、第１前面板２３１と第２前面板２５１とが係合した部分であるため、構造的に強い。このため、係合部２５８の部分が折れ曲がることがなく、この結果、第１前面板２３１や第２前面板２５１が変形することも殆どない。
【００６９】
次に、本実施形態の効果を説明する。
（１）本実施形態の梱包部材１の梱包対象は、次の構成の室外機１００とする。すなわち、ケーシング２００において、機械室ＭＲの第２前面板２５１と第２側面板２４０とにより構成される角部のうち下側角部には、機械室ＭＲ内の配管と室内機からの配管とを接続するための第１開口部２５３が設けられている室外機１００を梱包対象とする。この種の室外機１００の場合、室外機１００に過大な荷重が加えられたとき、機械室ＭＲの第２前面板２５１のうちで第１開口部２５３に隣接する隣接部２５１ａに荷重が集中することになり、この結果、当該部分が変形するおそれがある。
【００７０】
この点を鑑み、上部梱包部材１０を次のような構成とした。
すなわち、梱包部材１の上部梱包部材１０を、図１０に示すように、ケーシング２００の天面板２１１のうちで、第２前面板２５１の上方に位置する天面機械室寄部ＮＩに接触しない構造（すなわち、非接触部２７ｃを有する構造）とした。このため、室外機１００に荷重が加わると、天面機械室寄部ＮＩ以外の部分に荷重が加わり、少なくとも第２前面板２５１に荷重が加わりにくくなる。この結果、第２前面板２５１のうちで第１開口部２５３に隣接する隣接部２５１ａに荷重が集中することが抑制され、当該部分の変形が抑制される。
【００７１】
（２）本実施形態の上部梱包部材１０は、図１０に示すように、ケーシング２００の天面板２１１のうちで、係合部２５８の上方に位置する天面前部ＮＧに接触する前方接触部２８を有する。この構成によれば、室外機１００に荷重が加わるとき、構造的に強度が大きい部分であるケーシング２００の係合部２５８に荷重が加わるため、ケーシング２００の変形を抑制することができる。
【００７２】
（３）この効果は、次の構成の室外機１００の場合、より顕著に現れる。
例えば、ケーシング２００の係合部２５８が補強されている場合、補強部材にも荷重が分散されるため、ケーシング２００の変形の抑制効果が大きくなる。具体的には、本実施形態のように、室外機１００の仕切板２０１の仕切係合部２０２が上記係合部２５８に係合しているとき、このような効果が得られる。
【００７３】
（４）本実施形態の上部梱包部材１０は、図１０に示すように、天面板２１１のうちの第１天面角部ＮＡに接触する第１接触部２５と、第２天面角部ＮＢに接触する第２接触部２６と、第３天面角部ＮＣに接触する第３接触部２７とを有する。このため、室外機１００に荷重が加わるとき、構造的に強い部分であるケーシング２００の角部に力が加わるため、ケーシング２００の変形を抑制することができる。
【００７４】
（５）本実施形態の上部梱包部材１０は、第１接触部２５と第２接触部２６とを有する第１緩衝材２１と、第３接触部２７を有する第２緩衝材２２と、第１緩衝材２１と第２緩衝材２２とを連結する第３緩衝材２３及び第４緩衝材２４とを備えている。そして、第３緩衝材２３と第４緩衝材２４は間隔をあけて配置されている。すなわち、上部梱包部材１０の中央部に空間が設けられる。このため、上部梱包部材１０を形成するための原料を少なくすることができる。
【００７５】
（６）本実施形態の上部梱包部材１０は、更に、第１緩衝材２１、第２緩衝材２２、第３緩衝材２３、及び第４緩衝材２４とを収納する上トレー部材１１を備えている。すなわち、上トレー部材１１内に第１〜第４緩衝材２１〜２４を収納し、これらの緩衝材２１〜２４を保持する。これにより、上部梱包部材１０を室外機１００に嵌め易くすることができる。
【００７６】
［変形例］
なお、本発明の実施態様は上記に示した態様に限られるものではなく、これを例えば以下に示すように変更して実施することもできる。また以下の各変形例は、上記各実施形態についてのみ適用されるものではなく、異なる変形例同士を互いに組み合わせて実施することもできる。
【００７７】
図１２を参照して、上部梱包部材１０の変形例を示す。
本実施形態の上部梱包部材１０では、第１緩衝材２１の第１接触部２５と第２接触部２６とを分離する。すなわち、第１接触部２５と第２接触部２６との間に、天面板２１１と接触しない非接触部２５ａ（図９参照）を設けている。
【００７８】
これに対して、図１２（ａ）に示す上部梱包部材１０は、第１接触部２５と第２接触部２６に代えて、一つの接触部４０を有する。また、図９に示すような非接触部２７ｂ及び補助接触部２７ａを設けていない。更に、第３緩衝材２３と第４緩衝材２４を省略している。この構成でも、図１１（ｂ）に示した上部梱包部材１０と同様の効果を奏する。
【００７９】
図１２（ｂ）に、図１２（ａ）に示す上部梱包部材１０の変形例を説明する。
図１２（ｂ）に示す上部梱包部材１０は、図１２（ａ）に示した上部梱包部材１０において、第３接触部２７を拡大した構造の接触部４１を有する。すなわち、接触部４１は、第３接触部２７と前方接触部２８（図１０参照）を連結した構造を有する。この構成は、図１１（ｃ）に示した上部梱包部材１０と同様の効果を奏する。
【００８０】
図１２（ｃ）に、図１２（ａ）に示す上部梱包部材１０の変形例を説明する。
図１２（ｃ）に示す上部梱包部材１０は、図１２（ａ）に示した上部梱包部材１０において、後方中寄接触部２９を有する第３緩衝材２３を付加したものである。この構成の場合、荷重を支持台１５０に分散することができる。
【００８１】
・上記実施形態では、ケーシング２００を３枚の外板（すなわち、第１外板２３０、第２外板２５０、及び第３外板２６０）により構成しているが、ケーシング２００の構成はこれに限定されない。例えば、第２外板２５０と第３外板２６０を一体構造とし、一枚板のプレスにより形成してもよい。
【００８２】
・上記実施形態では、第１〜第４緩衝材２１〜２４を樹脂で形成しているが、ダンボール等により形成してもよい。また、ダンボールと樹脂との複合材料により形成することもできる。
【００８３】
・上記実施形態では、図１２において、上部梱包部材１０の変形例を挙げているが、変形例はこれらに限定されない。各接触部の形状は、室外機１００の構成とともに適宜変更される。
【符号の説明】
【００８４】
１…梱包部材、１０…上部梱包部材、１１…上トレー部材、２０…緩衝部材、２１…第１緩衝材、２２…第２緩衝材、２３…第３緩衝材、２４…第４緩衝材、２５…第１接触部、２６…第２接触部、２７…第３接触部、２７ｂ…非接触部、２７ｃ…非接触部、２８…前方接触部、２９…後方中寄接触部、１００…室外機、１１０…熱交換器、１２０…送風装置、１３０…圧縮機、１５０…支持台、２００…ケーシング、２０１…仕切板、２０２…仕切係合部、２１０…天板、２１１…天面板、２２０…底板、２２１…底面板、２２３…支持台固定部、２３０…第１外板、２３１…第１前面板、２３２…第１側面板、２３３…後角部、２３４…第１係合部、２４０…第２側面板、２５０…第２外板、２５１…第２前面板、２５１ａ…隣接部、２５２…第２前側面板、２５３…第１開口部、２５７…第２係合部、２５８…係合部、２６０…第３外板、２６１…後面板、２６２…第２後側面板、ＦＲ…ファン室、ＭＲ…機械室。
【図１】
0005637174.tif 000002
【図２】
0005637174.tif 000003
【図３】
0005637174.tif 000004
【図４】
0005637174.tif 000005
【図５】
0005637174.tif 000006
【図６】
0005637174.tif 000007
【図７】
0005637174.tif 000008
【図８】
0005637174.tif 000009
【図９】
0005637174.tif 000010
【図１０】
0005637174.tif 000011
【図１１】
0005637174.tif 000012
【図１２】
0005637174.tif 000013